(57)【特許請求の範囲】
【請求項１】
液晶表示パネルと、
前記液晶表示パネルの背面側に配置されるバックライトと、
前記バックライトを内部に収容する筐体を有し、
前記バックライトは、
前記液晶表示パネルの表示領域と重畳する光出射領域を有する導光板と、前記導光板の前記光出射領域を挟んで配置された第１の光源および第２の光源とを有し、前記第１の光源が表示領域の上部側に配置されて前記第２の光源が表示領域の下部側に配置される液晶表示装置であって、
前記導光板は、当該導光板内を伝播する光の、前記液晶表示パネルと対向する面への入射角を変化させる反射ドットを多数有し、
前記光出射領域内における単位面積あたりの前記反射ドットの占有率は、前記筐体の内部の温度分布に起因して発生する前記第１の光源と前記第２の光源からの輝度の差に基づいて、前記液晶表示パネルに照射される光の面輝度が一定になるように、前記第１の光源からの光が前記導光板に入射する第１の光入射位置と、前記第２の光源からの光が前記導光板に入射する第２の光入射位置との中点よりも前記第１の光入射位置側で最大になるようにし、かつ、前記占有率が最大になる位置から前記第１の光入射位置または前記第２の光入射位置に近づくにつれて小さくなるようにし、
前記多数の反射ドットは、前記占有率が最大になる位置からの距離に応じて平面寸法が異なり、
前記占有率が最大になる位置に近い前記反射ドットほど平面寸法が大きく、かつ、前記占有率が最大になる位置から前記第１の光入射位置または前記第２の光入射位置に近づくにつれて前記反射ドットの平面寸法が小さくなることを特徴とする液晶表示装置。
【請求項２】
前記光出射領域は、概略長方形であり、
前記第１の光源および前記第２の光源は、それぞれ、発光部が前記光出射領域の長辺方向と平行に延在していることを特徴とする請求項１に記載の液晶表示装置。
【請求項３】
前記液晶表示パネルは、複数本の走査信号線と、複数本の映像信号線とを有し、
前記第１の光源および前記第２の光源は、それぞれ、発光部が前記走査信号線の延在方向と平行に延在していることを特徴とする請求項１に記載の液晶表示装置。
【請求項４】
前記第１の光源および前記第２の光源は、それぞれ、複数の発光ダイオードを有する光源であることを特徴とする請求項１に記載の液晶表示装置。
【請求項５】
前記第１の光源および前記第２の光源は、それぞれ、蛍光灯であることを特徴とする請求項１に記載の表示装置。
【発明の詳細な説明】
【技術分野】
【０００１】
本発明は、液晶表示装置に関し、特に、表示領域の上側および下側に光源が配置されたバックライトを有する液晶表示装置に適用して有効な技術に関するものである。
【背景技術】
【０００２】
従来、テレビやパーソナルコンピュータ用のディスプレイなどの表示装置には、液晶表示パネルとバックライトとを有する液晶表示装置がある。
【０００３】
前記液晶表示パネルは、一対の基板の間に液晶材料を封入した表示パネルであり、映像や画像を表示する表示領域が多数の画素の集合で設定されている。このとき、それぞれの画素は、たとえば、ＴＦＴ素子、画素電極、対向電極、および液晶層を有する。またこのとき、それぞれの画素は、前記画素電極と前記対向電極との電位差によって前記液晶層の液晶分子の向きを制御し、前記バックライトからの光の透過率を変えることで階調を表現する。
【０００４】
前記バックライトは、その構成により、直下型とエッジライト型（サイドライト型と呼ぶこともある。）とに大別される。
【０００５】
前記エッジライト型のバックライトは、前記液晶表示パネルの背面側に導光板が配置されており、前記導光板の端部またはその近傍に光源が配置されている。このとき、前記導光板は、たとえば、前記液晶表示パネルと対向する第１の主面に光拡散シートやプリズムシートなどが貼り付けられており、前記第１の主面の裏面（第２の主面）に反射シートが貼り付けられている。またこのとき、前記導光板は、前記第２の主面に複数の反射ドットが設けられている。
【０００６】
前記反射ドットは、たとえば、前記導光板の前記第１の主面および前記第２の主面のそれぞれで全反射しながら前記導光板内を伝播する光を乱反射させて、前記導光板の前記第１の主面への入射角を変えることで液晶表示パネル側に出射（屈折）させるためのドットパターンである。
【０００７】
また、従来のエッジライト型のバックライトにおいて、前記導光板に前記複数の反射ドットを設けるときには、液晶表示パネルに照射される光の面輝度を均一にするために、たとえば、前記導光板の光入射位置から遠くなるにつれて、単位面積あたりの反射ドットの占有率が大きくなるようにしている。そのため、前記導光板に前記複数の反射ドットを設けるときには、たとえば、前記導光板の光入射位置から遠い反射ドットほど平面寸法を大きくしている。また、前記導光板に前記複数の反射ドットを設けるときには、たとえば、すべての反射ドットの平面寸法を概ね等しくし、かつ、前記導光板の光入射位置から遠くなるにつれて、単位面積あたりの反射ドットの数が多くなるようにする場合もある。
【０００８】
また、前記反射ドットの設けるときには、たとえば、前記導光板と組み合わせて使用する液晶表示パネルにおけるコントラスト比の視野角の分布に応じて、単位面積あたりの反射ドットの占有率の分布を調整する方法もある（たとえば、特許文献１を参照。）。
【特許文献１】特開平６−３１３８８３号公報
【発明の開示】
【発明が解決しようとする課題】
【０００９】
テレビなどの大画面の液晶表示装置は、従来、直下型のバックライトを用いることが多い。しかしながら、近年の大画面の液晶表示装置には、たとえば、薄型化、軽量化、低消費電力化などを目的にし、前記エッジライト型のバックライトを用いるものも増えてきている。前記エッジライト型のバックライトを用いた液晶表示装置では、たとえば、表示領域の上部（鉛直上方）側および下部（鉛直下方）側に光源を配置する。
【００１０】
また、前記液晶表示装置は、映像や画像の表示を開始すると、たとえば、光源やプリント回路板から発生する熱で、筐体内の温度が上昇する。このとき、筐体内部の温度には、通常、上部（鉛直上方）側の温度が高くなり、下部（鉛直下部）側の温度が低くなるという分布が生じる。そのため、表示領域の上部側に第１の光源を配置し、下部側に第２の光源を配置している液晶表示装置は、連続使用時間が長くなると、第１の光源およびその周辺の温度と、第２の光源およびその周辺の温度とに差が生じ、第１の光源およびその周辺の温度のほうが高くなる。
【００１１】
ところで、前記バックライトの光源には、たとえば、発光ダイオード（ＬＥＤ）や蛍光灯が用いられる。これらの光源は、たとえば、同じ電力を加えて発光させている場合でも、光源本体およびその周囲の温度の変化に応じて輝度が変化する。また、温度による輝度の変化は、たとえば、液晶表示装置の使用中における光源本体およびその周辺の温度範囲（たとえば、４０℃以上）だと、温度が高いほど輝度が低くなる。そのため、表示領域の上部側に第１の光源を配置し、下部側に第２の光源を配置している液晶表示装置では、連続使用時間が長くなると、第１の光源の輝度と、第２の光源の輝度とに差が生じ、第１の光源の輝度のほうが低くなる。その結果、表示領域の上部側に第１の光源を配置し、前記表示領域の下部側に第２の光源を配置している液晶表示装置では、連続使用時間が長くなると、液晶表示パネルの表示領域に照射される光の面輝度にむらが生じるという問題があった。
【００１２】
本発明の目的は、表示領域の上部側に第１の光源を配置し、下部側に第２の光源を配置したバックライトを有する液晶表示装置において、前記バックライトから液晶表示パネルの表示領域に照射される光の面輝度のむらを低減することが可能な技術を提供することにある。
【００１３】
本発明の前記ならびにその他の目的と新規な特徴は、本明細書の記述および添付図面によって明らかになるであろう。
【課題を解決するための手段】
【００１４】
本願において開示される発明のうち、代表的なものの概略を説明すれば、以下の通りである。
【００１５】
（１）液晶表示パネルと、前記液晶表示パネルの背面側に配置されるバックライトとを有し、前記バックライトは、前記液晶表示パネルの表示領域と重畳する光出射領域を有する導光板と、前記導光板の前記光出射領域を挟んで配置された第１の光源および第２の光源とを有する液晶表示装置であって、前記導光板は、当該導光板内を伝播する光の、前記液晶表示パネルと対向する面への入射角を変化させる反射ドットを多数有し、前記光出射領域内における単位面積あたりの前記反射ドットの占有率は、前記第１の光源からの光が前記導光板に入射する第１の光入射位置と、前記第２の光源からの光が前記導光板に入射する第２の光入射位置との中点よりも前記第１の光入射位置側で最大になり、かつ、前記占有率が最大になる位置から前記第１の光入射位置または前記第２の光入射位置に近づくにつれて小さくなる液晶表示装置。
【００１６】
（２）前記（１）の液晶表示装置において、前記多数の反射ドットは、前記占有率が最大になる位置からの距離に応じて平面寸法が異なり、前記占有率が最大になる位置に近い前記反射ドットほど平面寸法が大きく、かつ、前記占有率が最大になる位置から前記第１の光入射位置または前記第２の光入射位置に近づくにつれて前記反射ドットの平面寸法が小さくなる液晶表示装置。
【００１７】
（３）前記（１）の液晶表示装置において、前記多数の反射ドットは、平面寸法が概ね等しく、前記占有率が最大になる位置の近傍における前記反射ドットの配置密度が最大になり、かつ、前記占有率が最大になる位置から前記第１の光入射位置または前記第２の光入射位置に近づくにつれて前記反射ドットの配置密度が小さくなる液晶表示装置。
【００１８】
（４）前記（１）の液晶表示装置において、前記光出射領域は、概略長方形であり、前記第１の光源および前記第２の光源は、それぞれ、発光部が前記光出射領域の長辺方向と平行に延在している液晶表示装置。
【００１９】
（５）前記（１）の液晶表示装置において、前記液晶表示パネルは、複数本の走査信号線と、複数本の映像信号線とを有し、前記第１の光源および前記第２の光源は、それぞれ、発光部が前記走査信号線の延在方向と平行に延在している液晶表示装置。
【００２０】
（６）前記（１）の液晶表示装置において、前記第１の光源および前記第２の光源は、それぞれ、複数の発光ダイオードを有する光源である液晶表示装置。
【００２１】
（７）前記（１）の液晶表示装置において、前記第１の光源および前記第２の光源は、それぞれ、蛍光灯である液晶表示装置。
【発明の効果】
【００２２】
本発明の液晶表示装置によれば、前記液晶表示パネルおよび前記バックライトを筐体内に収容するときに、前記第１の光源が前記表示領域の上部側になるように収容することで、当該液晶表示装置の連続使用時間が長くなったときに生じる、前記バックライトから液晶表示パネルの表示領域に照射される光の面輝度のむらを低減することができる。
【発明を実施するための最良の形態】
【００２３】
以下、本発明について、図面を参照して実施の形態（実施例）とともに詳細に説明する。
なお、実施例を説明するための全図において、同一機能を有するものは、同一符号を付け、その繰り返しの説明は省略する。
【００２４】
図１（ａ）乃至図１（ｄ）は、従来のエッジライト型のバックライトを有する液晶表示装置の概略構成の一例と、前記エッジライト型のバックライトの動作原理を説明するための模式図である。
図１（ａ）は、エッジライト型のバックライトの概略構成の一例を示す模式平面図である。図１（ｂ）は、エッジライト型のバックライトを有する液晶表示装置の概略構成の一例を示す模式斜視図である。図１（ｃ）は、エッジライト型のバックライトの動作原理を説明するための模式側面図である。図１（ｄ）は、導光板の構成と光の取り出し方の一例を示す模式側面図である。
なお、図１（ｂ）に示したｘ方向およびｙ方向は、それぞれ、図１（ａ）に示したｘ方向およびｙ方向と同じ方向である。また、図１（ｃ）および図１（ｄ）に示したｙ方向は、それぞれ、図１（ａ）に示したｙ方向と同じ方向である。
また、図１（ａ）および図１（ｂ）において、ｙ方向に延びる複数本の矢印の組は、それぞれ、光源から導光板に入射される光を示している。
【００２５】
本発明は、エッジライト型のバックライトを有する液晶表示装置に適用される。そのため、以下の記載において単にバックライトという場合は、エッジライト型のバックライトのことを指すものとする。
【００２６】
従来のバックライトは、たとえば、図１（ａ）に示すように、導光板１と、導光板１の光出射領域ＲＡを挟んで配置される第１の光源２Ａおよび第２の光源２Ｂを有する。第１の光源２Ａおよび第２の光源２Ｂは、それぞれ、たとえば、複数個のＬＥＤライト２０１がプリント回路板２０２に実装された構成になっている。このとき、個々のＬＥＤライト２０１は、たとえば、赤色ＬＥＤ、緑色ＬＥＤ、および青色ＬＥＤの３つのＬＥＤにより白色光を得るＬＥＤライトである。また、前記ＬＥＤライト２０１は、たとえば、青色ＬＥＤまたは近紫外ＬＥＤと蛍光体とにより白色光を得るＬＥＤライトであってもよい。
【００２７】
このような構成のバックライトを用いた液晶表示装置は、たとえば、図１（ｂ）および図１（ｃ）に示すように、液晶表示パネル３の背面側に導光板１が配置される。このとき、導光板１の光出射領域ＲＡは、液晶表示パネル３の表示領域（図示しない）と重畳する領域に相当する。
【００２８】
液晶表示パネル３は、一対の基板の間に液晶材料を封入した表示パネルである。液晶テレビなどの液晶表示装置に用いられる液晶表示パネル３は、前記一対の基板のうちの一方の基板に、たとえば、図１（ｂ）に示したように、複数本の走査信号線ＧＬと、複数本の映像信号線ＤＬとを有する。このとき、複数本の走査信号線ＧＬは、ｙ方向に並んでおり、個々の走査信号線ＧＬは、ｘ方向に延在している。また、複数本の映像信号線ＤＬは、ｘ方向に並んでおり、個々の映像信号線ＤＬは、ｙ方向に延在している。
【００２９】
液晶表示パネル３の表示領域は、最も外側に配置されている２本の走査信号線ＧＬと、最も外側に配置されている２本の映像信号線ＤＬとで囲まれる領域に相当し、液晶テレビに用いられる液晶表示パネル３は、一般に、ｘ方向を長辺方向とする概略長方形の表示領域を有する。このとき、導光板１の光出射領域ＲＡは、液晶表示パネル３の表示領域と重畳する、ｘ方向を長辺方向とする概略長方形の領域であり、第１の光源２Ａおよび第２の光源２Ｂは、それぞれ、たとえば、発光部（複数個のＬＥＤライト２０１）が導光板１の光出射領域ＲＡの長辺方向と平行に延在するように配置される。またこのとき、第１の光源２Ａおよび第２の光源２Ｂは、それぞれ、導光板１の長辺方向の側面と対向する位置に配置される。そのため、第１の光源２Ａからの光４は、導光板１の第１の側面１Ａから導光板１に入射し、第２の光源２Ｂからの光４は、導光板１の第２の側面１Ｂから導光板１に入射する。
【００３０】
また、導光板１は、たとえば、液晶表示パネル３と対向する第１の主面１Ｃに光拡散フィルム５が張り合わされており、第１の主面１Ｃの裏面（第２の主面１Ｄ）に反射フィルム６が張り合わされている。導光板１は、たとえば、アクリルフィルムである。また、反射フィルム６は、たとえば、導光板１との界面側が鏡面の金属フィルムである。
【００３１】
このとき、導光板１の第１の側面１Ａまたは第２の側面１Ｂから入射した光４は、たとえば、導光板１の第１の主面１Ｃおよび第２の主面１Ｄで反射しながら導光板１内を伝播する。
【００３２】
なお、導光板１内を伝播する光４のうちの、導光板１の第１の主面１Ｃへの入射角が臨界角よりも小さい光は、当該第１の主面１Ｃで屈折し、光拡散フィルム５で拡散して液晶表示パネル３側に出射する。
【００３３】
また、導光板１内を伝播する光４のうちの、導光板１の第１の主面１Ｃへの入射角が臨界角よりも大きい光は、当該第１の主面１Ｃで全反射するので、そのままでは液晶表示パネル３側に出射させることができない。そのため、従来のバックライトでは、たとえば、図１（ｄ）に示すように、導光板１の第２の主面１Ｄに反射ドット７を設けている。反射ドット７は、導光板１内を伝播する光４の進路を変え、導光板１の第１の主面１Ｃへの入射角を変えるためのドットパターンであり、たとえば、導光板１の第２の主面１Ｄの表面に凹曲面状のくぼみを形成して設けている。また、導光板１の第２の主面１Ｄには、複数の反射ドット７が設けられている。またこのとき、個々の反射ドット７は、図１（ｄ）に示したような凹曲面状のパターンに限らず、凸曲面状のパターンであってもよいし、たとえば、白色の導電膜または絶縁膜をエッチングして形成したパターンであってもよい。
【００３４】
導光板１の第１の主面１Ｃに入射角θ１で入射して全反射しながら伝播する光４が反射ドット７の表面で反射すると、当該光４の進路が変わり、反射ドット７で反射した後の光４は、たとえば、導光板１の第１の主面１Ｃに入射角θ２で入射する。このときの入射角θ２が臨界角よりも小さければ、反射ドット７で反射した後の光４は、導光板１の第１の主面１Ｃで屈折し、光拡散フィルム５で拡散して液晶表示パネル３側に出射する。
【００３５】
またこのとき、導光板１（光拡散フィルム５）と液晶表示パネル３との間には、たとえば、図１（ｃ）に示したように、１層または複数層のプリズムシート８が介在している。プリズムシート８は、導光板１から液晶表示パネル３側に出射した光４を、液晶表示パネル３の表示面に対して垂直に入射させるための光学シートである。
【００３６】
このように、従来のバックライトは、導光板１の第２の主面１Ｄに複数の反射ドット７を設けることにより、導光板１内を伝播する光４を効率よく面状光線に変換し、液晶表示パネル３側に出射させている。またこのとき、導光板１を伝播する光４は、たとえば、第１の主面１Ｃおよび第２の主面１Ｄでの反射を繰り返すたびに強度が減衰する。そのため、従来の導光板１では、たとえば、導光板１の光入射位置から遠い反射ドット７の平面寸法を大きくするか、または導光板１の光入射位置から遠い位置における反射ドット７の配置密度を高くすることで、導光板１の光出射領域ＲＡから液晶表示パネル３に照射される光の面輝度が均一になるようにしている。
【００３７】
図２（ａ）および図２（ｂ）は、従来のバックライトの導光板における反射ドットの平面寸法の一例を示す模式図である。
図２（ａ）は、図１（ａ）の領域ＰＡに設ける反射ドットの配置方法の一例を示す模式平面図である。図２（ｂ）は、図２（ａ）に示した領域における導光板のｙ方向の位置と反射ドットの平面寸法との関係を示す模式グラフ図である。
なお、図２（ｂ）に示した模式グラフ図の横軸は、導光板のｙ方向の位置ＹＰ（相対値）であり、第１の光源２Ａからの光が入射する第１の側面１Ａの位置をｙ＝０、第２の光源２Ｂからの光が入射する第２の側面１Ｂの位置をｙ＝１にしている。また、図２（ｂ）に示した模式グラフ図の縦軸は、反射ドット７の平面寸法ＤＳ（相対値）である。
【００３８】
図１（ａ）に示した構成のバックライトの場合、導光板１の光入射位置は第１の側面１Ａおよび第２の側面１Ｂである。そのため、たとえば、図２（ａ）に示すように、導光板１の第１の側面１Ａのｙ方向の位置をｙ＝０、第２の側面１Ｂのｙ方向の位置をｙ＝１にすると、この導光板１において光入射位置から最も遠いのは、第１の側面１Ａと第２の側面１Ｂとの中点（ｙ＝０．５）の位置である。したがって、ｙ方向に並んだ複数の反射ドット７の平面寸法ＤＳは、たとえば、図２（ａ）および図２（ｂ）に示すように、第１の側面１Ａと第２の側面１Ｂとの中点（ｙ＝０．５）に近い反射ドット７ほど平面寸法が大きくなっている。
【００３９】
またこのとき、従来の導光板１における第１の側面１Ａと前記中点の間（０＜ｙ＜０．５）にある反射ドット７の平面寸法と、第２の側面１Ｂと前記中点の間（０．５＜ｙ＜１）にある反射ドット７の平面寸法との関係は、導光板１のｙ方向の中点（ｙ＝０．５）の位置を対称軸とする上下対称の関係になっている。
【００４０】
すなわち、図２（ａ）に示したような構成の従来の導光板１では、たとえば、導光板１の第１の側面１Ａから距離Ｌ１の位置に配置されている反射ドット７の平面寸法と、導光板１の第１の側面１Ａから距離Ｌ１４の位置に配置されている反射ドット７の平面寸法とが等しい。また、図２（ａ）に示したような構成の従来の導光板１では、たとえば、導光板１の第１の側面１Ａから距離Ｌ５の位置に配置されている反射ドット７の平面寸法と、導光板１の第１の側面１Ａから距離Ｌ１０の位置に配置されている反射ドット７の平面寸法とが等しい。
【００４１】
なお、図２（ａ）には、ｙ方向に１４個の反射ドット７が等間隔で並んでいる場合を例に挙げているが、実際の導光板１では、通常、さらに多数の反射ドット７がｙ方向に並んでいる。そのときの各反射ドット７の平面寸法は、たとえば、図２（ｂ）に実線で示したような、導光板１のｙ方向の中点（ｙ＝０．５）の位置で極大になり、かつ、線対称（上下対称）になる分布にしたがう。
【００４２】
図３は、図１（ａ）の領域ＰＡに設けられた反射ドットの配置方法の別の一例を示す模式平面図である。
【００４３】
従来のバックライトにおいて、導光板１に複数の反射ドット７を設けるときには、光入射位置からの距離に応じて平面寸法を変える代わりに、たとえば、図３に示すように、各反射ドット７の平面寸法は等しくし、光入射位置から近い位置では反射ドット７の配置密度を低くし、光入射位置から遠い位置では反射ドット７の配置密度を高くすることもある。
【００４４】
図３に示した反射ドット７の配置方法の例では、ｙ方向に１４個の反射ドット７が並んでおり、導光板１の第１の側面１Ａの位置をｙ＝０、第２の側面１Ｂの位置をｙ＝１にしている。このとき、従来の導光板１では、第１の側面１Ａと第２の側面１Ｂとの中点（ｙ＝０．５）を挟んで隣接する２つの反射ドット７、すなわち第１の側面１Ａから距離Ｌ７の位置に配置される反射ドット７と、第１の側面１Ａから距離Ｌ８の位置に配置される反射ドット７との間隔Ｓ７が最も狭くなっている。
【００４５】
また、第１の側面１Ａと前記中点の間（０＜ｙ＜０．５）にある反射ドット７は、隣接する２つの反射ドット７の間隔Ｓ１，Ｓ２，Ｓ３，Ｓ４，Ｓ５，Ｓ６が、Ｓ１＞Ｓ２＞Ｓ３＞Ｓ４＞Ｓ５＞Ｓ６（＞Ｓ７）になるような位置Ｌ１，Ｌ２，Ｌ３，Ｌ４，Ｌ５，Ｌ６，Ｌ７に配置されている。同様に、第２の側面１Ｂと中点の間（０．５＜ｙ＜１）にある反射ドット７は、隣接する２つの反射ドット７の間隔Ｓ８，Ｓ９，Ｓ１０，Ｓ１１，Ｓ１２，Ｓ１３が、Ｓ１３＞Ｓ１２＞Ｓ１１＞Ｓ１０＞Ｓ９＞Ｓ８（＞Ｓ７）になるような位置Ｌ８，Ｌ９，Ｌ１０，Ｌ１１，Ｌ１２，Ｌ１３，Ｌ１４に配置されている。
【００４６】
またこのとき、従来の導光板１における第１の側面１Ａと中点の間（０＜ｙ＜０．５）にある反射ドット７の間隔と、第２の側面１Ｂと中点の間（０．５＜ｙ＜１）にある反射ドット７の間隔との関係は、導光板１のｙ方向の中点（ｙ＝０．５）の位置を対称軸とする上下対称の関係、すなわち、Ｓ１＝Ｓ１３，Ｓ２＝Ｓ１２，Ｓ３＝Ｓ１１，Ｓ４＝Ｓ１０，Ｓ５＝Ｓ９，Ｓ６＝Ｓ８になっている。
【００４７】
なお、図３には、ｙ方向に１４個の平面寸法が同じ反射ドット７を並べる場合を例に挙げているが、実際の導光板１では、通常、さらに多数の反射ドット７がｙ方向に並んでいる。そのときの各反射ドット７の間隔は、図３に示した例と同様に、第１の側面１Ａと第２の側面１Ｂとの中点（ｙ＝０．５）を挟んで隣接する２つの反射ドット７の間隔が最も狭く、第１の側面１Ａまたは第２の側面１Ｂに近くなるほど隣接する２つの反射ドット７の間隔が最も狭くなる。またこのとき、第１の側面１Ａと中点の間（０＜ｙ＜０．５）にある反射ドット７の間隔と、第２の側面１Ｂと中点の間（０．５＜ｙ＜１）にある反射ドット７の間隔との関係は、導光板１のｙ方向の中点（ｙ＝０．５）の位置を対称軸とする上下対称の関係になる。
【００４８】
このように、第１の光源２Ａおよび第２の光源２Ｂが導光板１の光照射領域ＲＡを挟んで配置されている従来のバックライトでは、導光板１に設ける反射ドット７の平面寸法または配置密度（すなわち単位面積あたりの反射ドットの占有率）が、第１の光源２Ａからの光が入射する位置と、第２の光源２Ｂからの光が入射する位置の中点を対称軸として線対称（上下対称）になっている。
【００４９】
ところで、液晶表示パネル３が、たとえば、液晶テレビ用の液晶表示パネルの場合、液晶表示パネル３の表示領域は、通常、横長の長方形である。そのため、表示領域の長辺方向をｘ方向、短辺方向をｙ方向とすると、液晶表示パネル３およびバックライト（導光板１）は、ｙ方向が鉛直方向になるように筐体に収容される。このとき、バックライトの第１の光源２Ａおよび第２の光源２Ｂは、それぞれ、第１の光源２Ａが表示領域の上部側（鉛直上方側）に配置され、第２の光源２Ｂが表示領域の下部側（鉛直下方側）に配置される。したがって、液晶表示装置の連続使用時間、すなわち第１の光源２Ａおよび第２の光源２Ｂの連続点灯時間が長くなると、第１の光源２Ａおよびその周辺の温度と、第２の光源２Ｂおよびその周辺の温度に差が生じ、第１の光源２Ａの輝度と第２の光源２Ｂの輝度に差が生じる。
【００５０】
図４は、従来のバックライトにおける光源の温度の時間変化および光源の輝度の時間変化の一例を示す模式グラフ図である。
なお、図４に示した模式グラフ図における横軸は、第１の光源２Ａおよび第２の光源２Ｂの点灯を開始してからの時間Ｔ（単位は分）であり、各光源２Ａ，２Ｂの連続点灯時間を示している。また、図４に示した模式グラフ図において、左側の縦軸は、第１の光源２Ａおよび第２の光源２Ｂの温度Ｈ（単位は℃）であり、右側の縦軸は、第１の光源２Ａおよび第２の光源２Ｂの輝度ＢＲ（単位は任意）である。
【００５１】
第１の光源２Ａが表示領域の上部側に配置され、第２の光源２Ｂが表示領域の下部側に配置された液晶表示装置は、使用を開始すると、各光源２Ａ，２Ｂやプリント回路板から発生した熱が第１の光源２Ａの周辺にこもりやすい。このとき、第１の光源２Ａおよび第２の光源２Ｂの連続点灯時間Ｔと温度Ｈとの関係は、たとえば、図４に実線で示したように、第１の光源２Ａの温度が、第２の光源２Ｂの温度よりも高くなる。またこのとき、第１の光源２Ａの温度および第２の光源２Ｂの温度は、点灯を開始してからＴｓ分（たとえば、１０分）が経過した後は、ほぼ一定の値になり、第１の光源２Ａは温度Ｈ１、第２の光源２Ｂは温度Ｈ２になる。
【００５２】
第１の光源２Ａおよび第２の光源２Ｂは、通常、使用するＬＥＤライトの種類や数が同じであり、同じ大きさの電流を加えることで、同程度の輝度を得るようになっている。
【００５３】
しかしながら、ＬＥＤライトは、発光効率に温度依存性があり、同じ大きさの電流を加えていても、温度が変化すると輝度が変化する。同じ大きさの電流を加えているときのＬＥＤライトの輝度は、たとえば、２０℃前後の室温ＲＴから４０℃程度の温度範囲では、温度の上昇とともに輝度が高くなり、それより高い温度範囲では、温度の上昇とともに輝度が低くなっていく。
【００５４】
第１の光源２Ａの温度Ｈ１および第２の光源２Ｂの温度Ｈ２の値は、それぞれの光源に使用するＬＥＤライトの数や液晶表示パネルの大きさにより変化するが、およそ５０℃になる。そのため、点灯開始時の各光源２Ａ，２Ｂの温度を室温ＲＴ（たとえば、２０℃）としたときの各光源２Ａ，２Ｂの連続点灯時間Ｔと輝度ＢＲとの関係は、たとえば、図４に点線で示したように、点灯開始後に一度高くなった後、低くなり、かつ、第１の光源２Ａの輝度が、第２の光源２Ｂの輝度よりも低くなる。またこのとき、第１の光源２Ａの輝度および第２の光源２Ｂの輝度は、たとえば、点灯を開始してからＴｓ分が経過した後は、ほぼ一定の値になり、第１の光源２Ａは輝度Ｂ１、第２の光源２Ｂは輝度Ｂ２になる。
【００５５】
従来の導光板１における、図２（ａ）または図３に示したような反射ドット７の配置は、第１の光源２Ａの輝度と第２の光源２Ｂの輝度が同程度であることを前提とした配置である。そのため、液晶表示装置の連続使用時間が長くなり、図４に示したように、第１の光源２Ａの輝度と第２の光源２Ｂの輝度に差が生じると、導光板１の光出射領域ＲＡから液晶表示パネル３に照射される光の面輝度にむらが生じる。
【００５６】
（参考例１）
上記のような第１の光源２Ａと第２の光源２Ｂとの温度差により生じる光の面輝度のむらを低減する方法としては、たとえば、表示領域の上部側に配置される第１の光源２Ａに使用するＬＥＤライト２０１の数を、表示領域の下部側に配置される第２の光源２Ｂに使用するＬＥＤライト２０１の数よりも多くする方法が考えられる。この場合、表示を開始してから時間が経過した後、第１の光源２Ａの各ＬＥＤライト２０１の平均輝度は、第２の光源２Ｂの各ＬＥＤライト２０１の平均輝度よりも低くなる。しかしながら、第１の光源２ＡのＬＥＤライト２０１の数を、第２の光源２ＢのＬＥＤライト２０１の数よりも多くすることで、表示を開始してからＴｓが経過した後の第１の光源２Ａの光量を第２の光源２Ｂの光量とほぼ等しくすることができる。そのため、液晶表示装置の連続使用時間が長い場合でも、導光板１から出射して液晶表示パネル３に照射される光の面輝度のむらを低減できる。
【００５７】
（参考例２）
上記のような第１の光源２Ａと第２の光源２Ｂとの温度差により生じる光の面輝度のむらを低減する方法としては、参考例１で説明した方法の他に、たとえば、表示領域の上部側に配置される第１の光源２ＡのＬＥＤライト２０１に加える電流を、表示領域の下部側に配置される第２の光源２ＢのＬＥＤライト２０１に加える電流よりも大きくする方法が考えられる。ＬＥＤライト２０１は、加える電流の大きさによって輝度が変化するので、第１の光源２ＡのＬＥＤライト２０１に加える電流を大きくすれば、表示を開始してからＴｓが経過した後でも、第１の光源２Ａの光量を第２の光源２Ｂの光量とほぼ等しくすることができる。そのため、液晶表示装置の連続使用時間が長い場合でも、導光板１から出射して液晶表示パネル３に照射される光の面輝度のむらを低減できる。
【実施例１】
【００５８】
図５（ａ）および図５（ｂ）は、本発明による実施例１のバックライトの概略構成を示す模式図である。
図５（ａ）は、本発明による実施例１のバックライトの導光板における反射ドットの配置方法の一例を示す模式平面図である。図５（ｂ）は、図５（ａ）に示した領域における導光板のｙ方向の位置と反射ドットの平面寸法との関係を示す模式グラフ図である。
なお、図５（ａ）は、図１（ａ）の領域ＰＡに設ける反射ドット７の配置方法の一例を示す模式平面図である。また、図５（ａ）に示したｘ方向およびｙ方向は、それぞれ、図１（ａ）に示したｘ方向およびｙ方向と同じ方向である。
また、図５（ｂ）に示した模式グラフ図の横軸は、導光板１のｙ方向の位置ＹＰ（相対値）であり、第１の光源２Ａからの光が入射する第１の側面１Ａの位置をｙ＝０、第２の光源２Ｂからの光が入射する第２の側面１Ｂの位置をｙ＝１にしている。また、図５（ｂ）に示した模式グラフ図の縦軸は、反射ドット７の平面寸法ＤＳ（相対値）である。
【００５９】
実施例１のバックライトの導光板１は、図２（ａ）に示した導光板１のように、導光板１の光入射位置からの距離に応じて反射ドット７の平面寸法を変えることで、液晶表示パネル３の表示領域に照射される光の面輝度を均一にする。
【００６０】
また、実施例１のバックライトは、図１（ｂ）および図１（ｃ）に示したように、第１の光源２Ａおよび第２の光源２Ｂが、それぞれ、導光板１の光出射領域ＲＡ（液晶表示パネルの表示領域）の長辺方向（ｘ方向）と平行に配置されており、かつ、第１の光源２Ａが表示領域の上部側に位置するように液晶表示装置の筐体内に収容されるとする。
【００６１】
このとき、実施例１の導光板１では、たとえば、図５（ａ）および図５（ｂ）に示すように、反射ドット７の平面寸法ＤＳを最大にする位置を、導光板１の第１の側面１Ａと第２の側面１Ｂとの中点（ｙ＝０．５）よりも第１の側面１Ａ側にずらす。図５（ａ）および図５（ｂ）に示した例では、ｙ方向に１４個の反射ドット７が等間隔で並んでおり、導光板１の第１の側面１Ａから距離Ｌ６の位置の反射ドット７と、距離Ｌ７の位置の反射ドット７の平面寸法が最大になるようにしている。またこのとき、各反射ドット７の平面寸法ＤＳは、たとえば、図５（ｂ）に実線で示したように、導光板１の第１の側面１Ａからの距離が距離Ｌ６と距離Ｌ７との間の位置で極大になる分布、すなわち、導光板１のｙ方向の中点（ｙ＝０．５）の位置を対称軸としたときに上下が非対称になるような分布にしたがう。なお、図５（ｂ）に点線で示した分布は、図２（ｂ）に示した従来の反射ドットの平面寸法の分布（上下対称の分布）である。
【００６２】
また、図５（ａ）および図５（ｂ）には、ｙ方向に１４個の反射ドット７が並んでいる例を示しているが、実際の導光板１では、さらに多数の反射ドット７がｙ方向に並んでいる。そのときの各反射ドット７の平面寸法は、たとえば、図５（ｂ）に実線で示した分布にしたがう。
【００６３】
このように、反射ドット７の平面寸法ＤＳを最大にする位置を、導光板１の第１の側面１Ａと第２の側面１Ｂとの中点（ｙ＝０．５）よりも第１の側面１Ａ側にずらすと、単位面積あたりの反射ドット７の占有率が最も大きい位置は、導光板１の中点（ｙ＝０．５）よりも第１の側面１Ａ側にずれる。すなわち、実施例１のバックライトの導光板１において、導光板１から液晶表示パネル３側に出射する光の量が最も多くなる位置は、導光板１の第１の側面１Ａと第２の側面１Ｂの中点（ｙ＝０．５）よりも第１の側面１Ａ側にずれる。そのため、各光源２Ａ，２Ｂの連続点灯時間が長くなり、第１の光源２Ａの輝度が第２の光源２Ｂの輝度よりも低くなっても、その分、液晶表示パネル３側に出射する光の量を多くできる。したがって、実施例１のバックライトは、点灯開始からＴｓ分が経過した後で液晶表示パネル３の表示領域に照射される光の面輝度のむらを低減できる。
【００６４】
なお、図５（ａ）および図５（ｂ）に示した例は、実施例１のバックライトにおける反射ドット７の平面寸法ＤＳの分布の一例である。実施例１のバックライトにおける反射ドット７の平面寸法ＤＳの分布は、前述のように、たとえば、図４に示した第１の光源２Ａの輝度Ｂ１と第２の光源２Ｂの輝度Ｂ２との差に基づき、点灯開始からＴｓ分が経過した後で液晶表示パネル３の表示領域に照射される光の面輝度が一定になるような分布にすればよい。そのため、実施例１のバックライトでは、図５（ｂ）に示したような反射ドット７の平面寸法ＤＳの分布において平面寸法を最大にする位置が、別の位置にあってもよい。また、実施例１のバックライトでは、図５（ｂ）に示したような反射ドット７の平面寸法ＤＳの分布において、平面寸法ＤＳの最大値と最小値との差（相対値）が、異なる値であってもよい。
【００６５】
図６（ａ）および図６（ｂ）は、実施例１のバックライトの変形例を示す模式図である。
図６（ａ）は、実施例１のバックライトの導光板における反射ドットの配置方法の一変形例を示す模式平面図である。図６（ｂ）は、図６（ａ）に示した領域における導光板のｙ方向の位置と反射ドットの平面寸法との関係を示す模式グラフ図である。
なお、図６（ａ）は、図１（ａ）の領域ＰＡに設ける反射ドット７の配置方法の変形例を示す模式平面図である。また、図６（ａ）に示したｘ方向およびｙ方向は、それぞれ、図１（ａ）に示したｘ方向およびｙ方向と同じ方向である。
また、図６（ｂ）に示した模式グラフ図の横軸は、導光板１のｙ方向の位置ＹＰ（相対値）であり、第１の光源２Ａからの光が入射する第１の側面１Ａの位置をｙ＝０、第２の光源２Ｂからの光が入射する第２の側面１Ｂの位置をｙ＝１にしている。また、図６（ｂ）に示した模式グラフ図の縦軸は、反射ドット７の平面寸法ＤＳ（相対値）である。
【００６６】
実施例１のバックライトの構成を説明するにあたり、図５（ａ）および図５（ｂ）に示した例では、反射ドット７の平面寸法ＤＳの分布における極大（最大値）の位置を導光板１のｙ方向の中点（ｙ＝０．５）の位置よりも第１の側面１Ａ側にずらしている。またこのとき、当該分布は、たとえば、導光板１の中点（ｙ＝０．５）の周辺における第１の側面１Ａからの距離と平面寸法ＤＳとの関係が、図２（ｂ）に示したような上下対称の分布とは一致しない関係になっている。
【００６７】
しかしながら、実施例１のバックライトのように、反射ドット７の平面寸法ＤＳの分布における極大の位置を第１の側面１Ａ側にずらすときには、たとえば、図６（ａ）および図６（ｂ）に示すように、導光板１の第１の側面１Ａと第２の側面１Ｂとの中点よりも第１の側面１Ａ側に配置される反射ドット７の平面寸法の分布のみを変えてもよいことはもちろんである。なお、図６（ｂ）に示したグラフ図における実線の分布は、図６（ａ）に示した当該変形例での反射ドット７の平面寸法ＤＳの分布であり、点線の分布は、図２（ｂ）に示した従来の一般的なバックライトにおける反射ドット７の平面寸法ＤＳの分布である。
【実施例２】
【００６８】
図７（ａ）および図７（ｂ）は、本発明による実施例２のバックライトの概略構成を示す模式図である。
図７（ａ）は、本発明による実施例２のバックライトの導光板における反射ドットの配置方法の一例を示す模式平面図である。図７（ｂ）は、実施例２のバックライトの導光板における反射ドットの配置方法の別の一例を示す模式平面図である。
なお、図７（ａ）および図７（ｂ）は、それぞれ、図１（ａ）の領域ＰＡに設ける反射ドット７の配置方法の一例を示す模式平面図である。また、図７（ａ）および図７（ｂ）に示したｘ方向およびｙ方向は、それぞれ、図１（ａ）に示したｘ方向およびｙ方向と同じ方向である。
【００６９】
実施例２のバックライトの導光板１は、図３に示した導光板１のように、導光板１の光入射位置からの距離に応じて反射ドット７の配置密度を変えることで、液晶表示パネル３の表示領域に照射される光の面輝度を均一にする。
【００７０】
また、実施例２のバックライトは、図１（ｂ）および図１（ｃ）に示したように、第１の光源２Ａおよび第２の光源２Ｂが、それぞれ、導光板１の光出射領域ＲＡ（液晶表示パネルの表示領域）の長辺方向（ｘ方向）と平行に配置されており、かつ、第１の光源２Ａが表示領域の上部側に位置するように液晶表示装置の筐体内に収容されるとする。
【００７１】
このとき、実施例２の導光板１では、たとえば、図７（ａ）に示すように、各反射ドット７の平面寸法を概ね等しく、かつ、ｙ方向に並んだ反射ドット７の間隔を最小にする位置を、導光板１の第１の側面１Ａと第２の側面１Ｂとの中点（ｙ＝０．５）よりも第１の側面１Ａ側にずらす。図７（ａ）に示した例では、ｙ方向に１４個の反射ドット７が並んでおり、導光板１の第１の側面１Ａの位置をｙ＝０、第２の側面１Ｂの位置をｙ＝１にしている。このとき、隣接する２つの反射ドット７の間隔が最小になっているのは、導光板１から距離Ｌ７の位置にある反射ドット７と、距離Ｌ８の位置にある反射ドット７の間隔Ｓ８である。またこのとき、第１の側面１Ａと中点との間（０＜ｙ＜０．５）には８個の反射ドット７が配置され、第２の側面１Ｂと中点との間（０．５＜ｙ＜１）には６個の反射ドット７が配置されており、各反射ドットの間隔Ｓ１〜Ｓ６，Ｓ８〜Ｓ１３の関係は、Ｓ１＜Ｓ１３，Ｓ２＜Ｓ１２，Ｓ３＜Ｓ１１，Ｓ４＜Ｓ１０，Ｓ５＜Ｓ９，Ｓ６＜Ｓ８になっている。
【００７２】
導光板１の反射ドット７をこのような配置にすると、第１の側面１Ａと第２の側面１Ｂとの中点（ｙ＝０．５）の付近を見たときに、当該中点よりも第１の側面１Ａ側の領域における単位面積あたりの反射ドット７の占有率が、当該中点よりも第２の側面１Ｂ側の領域における単位面積あたりの反射ドット７の占有率よりも大きくなる。すなわち、実施例２のバックライトにおいても、導光板１から液晶表示パネル３側に出射する光の量が最も多くなる位置は、導光板１の第１の側面１Ａと第２の側面１Ｂとの中点（ｙ＝０．５）よりも第１の側面１Ａ側にずれる。そのため、各光源２Ａ，２Ｂの連続点灯時間が長くなり、第１の光源２Ａの輝度が第２の光源２Ｂの輝度よりも低くなっても、その分、液晶表示パネル３側に出射する光の量を多くできる。したがって、実施例２のバックライトは、点灯開始からＴｓ分が経過した後で液晶表示パネル３の表示領域に照射される光の面輝度のむらを低減できる。
【００７３】
なお、図７（ａ）に示した例は、実施例２のバックライトにおける反射ドット７の配置方法の一例である。実施例２のバックライトにおける反射ドット７の配置方法は、前述のように、導光板１における単位面積あたりの反射ドットの占有率が最も大きくなる位置が、導光板１の第１の側面１Ａと第２の側面１Ｂとの中点（ｙ＝０．５）よりも第１の側面１Ａ側にずれていればよい。そのため、実施例２のバックライトでは、導光板１の反射ドット７の配置が、たとえば、図７（ｂ）に示すような配置であってもよい。
【００７４】
図７（ｂ）に示した導光板１のｙ方向に並んだ１４個の反射ドット７の間隔Ｓ１〜Ｓ１３は、それぞれ、図３に示した導光板１における反射ドット７の間隔Ｓ１〜Ｓ１３と同じ関係になっている。そして、導光板１のｙ方向の中点（ｙ＝０．５）よりも第１の側面１Ａ側、すなわち第１の側面から距離Ｌ６の位置に配置されている反射ドット７の列と、距離Ｌ７の位置に配置されている反射ドット７の列との間に、さらに別の反射ドット７を配置している。このようにすることで、導光板１の第１の側面１Ａと第２の側面１Ｂとの中点（ｙ＝０．５）の近傍における第１の側面１Ａ側の領域での単位面積あたりの反射ドット７の占有率を、第２の側面１Ｂ側の領域での単位面積あたりの反射ドット７の占有率よりも大きくでき、図７（ａ）に示した導光板１を有するバックライトと同様の効果が得られる。
【００７５】
なお、図７（ａ）および図７（ｂ）に示した例は、実施例２のバックライトにおける反射ドット７の配置方法の一例であり、ｙ方向に並べる反射ドット７の数や間隔の取り方、単位面積あたりの反射ドットの占有率の大きさを適宜変更することが可能であることはもちろんである。
【実施例３】
【００７６】
図８は、本発明による実施例３のバックライトの概略構成と光の取り出し方の一例を示す模式断面図である。
なお、図８に示したｙ方向は、図１（ａ）に示したｙ方向と同じ方向である。
【００７７】
実施例１および実施例２のバックライトでは、導光板１の第２の主面１Ｄ側に反射ドット７を配置して、導光板１内を伝播する光４を液晶表示パネル３側に出射させている。
【００７８】
しかしながら、導光板１内を伝播する光４を液晶表示パネル３側に出射させる方法には、その他にも、たとえば、図８に示すように、導光板１の第１の主面１Ｃ（液晶表示パネルと対向する面）に複数の開口部５Ａを有する光拡散フィルム５を貼り付ける方法が考えられる。
【００７９】
このような導光板１内を伝播する光のうちの、たとえば、導光板１と光拡散フィルム５との界面への入射角が臨界角よりも小さい光は、当該界面で屈折した後、光拡散フィルム５で拡散して液晶表示パネル３側に出射する。
【００８０】
また、導光板１内を伝播する光のうちの、導光板１と光拡散フィルム５との界面に入射角θ１で入射して全反射する光４は、たとえば、導光板１の第１の主面１Ｃのうちの、光拡散フィルム５の開口部５Ａと重畳する位置に入射すると、屈折して液晶表示パネル３側に出射するようになっている。そのため、光拡散フィルム５に複数の開口部を設けるときに、たとえば、各開口部５Ａの平面寸法の分布を、実施例１で説明した反射ドット７の平面寸法ＤＳと同様の分布にすれば、点灯開始からＴｓ分が経過した後で液晶表示パネル３に照射される光の面輝度を均一にすることができると考えられる。
【００８１】
また、光拡散フィルム５に開口部５Ａを設けるときには、各開口部５Ａの平面寸法をすべて等しくし、たとえば、開口部５Ａの配置密度の分布を、実施例２で説明した反射ドット７の配置密度の分布と同様にすれば、点灯開始からＴｓ分が経過した後で液晶表示パネル３に照射される光の面輝度を均一にすることができると考えられる。
【実施例４】
【００８２】
図９（ａ）乃至図９（ｄ）は、本発明による実施例４のバックライトの概略構成を説明するための模式図である。
図９（ａ）は、本発明による実施例４のバックライトの導光板の主要部の構成と光の取り出し方の一例を示す模式断面図である。図９（ｂ）は、従来のバックライトの導光板における反射パターンの配置方法の一例を示す模式平面図である。図９（ｃ）は、図９（ｂ）に示した領域における導光板のｙ方向の位置と反射パターンの平面寸法との関係を示す模式グラフ図である。図９（ｄ）は、実施例４のバックライトにおける導光板のｙ方向の位置と反射パターンの平面寸法との関係を示す模式グラフ図である。
なお、図９（ａ）に示したｙ方向は、図１（ａ）に示したｙ方向と同じ方向である。
また、図９（ｂ）は、図１（ａ）の領域ＰＡに設ける反射ドット７の配置方法の一例を示す模式平面図である。また、図９（ｂ）に示したｘ方向およびｙ方向は、それぞれ、図１（ａ）に示したｘ方向およびｙ方向と同じ方向である。
また、図９（ｃ）および図９（ｄ）に示した模式グラフ図の横軸は、導光板１のｙ方向の位置ＹＰ（相対値）であり、第１の光源２Ａからの光が入射する第１の側面１Ａの位置をｙ＝０、第２の光源２Ｂからの光が入射する第２の側面１Ｂの位置をｙ＝１にしている。また、図９（ｃ）および図９（ｄ）に示した模式グラフ図の縦軸は、反射パターンの平面寸法ＲＳ（相対値）である。
【００８３】
実施例１および実施例２のバックライトでは、導光板１の第２主面１Ｄ（液晶表示パネル３と対向する面の裏面）に反射ドット７を配置して、導光板１内を伝播する光４を液晶表示パネル３側に出射させている。すなわち、実施例１および実施例２のバックライトでは、導光板１内を全反射しながら伝播する光４の、導光板１と光拡散フィルム５との界面への入射角を変えることで、光を当該界面で屈折させ、液晶表示パネル３側に出射させている。
【００８４】
このようなバックライトでは、導光板１の光入射位置からの距離が遠くなるほど、単位面積あたりの反射ドット７の占有率を大きくすることで、導光板１から出射して液晶表示パネル３の表示領域に照射される光の面輝度を均一にする。
【００８５】
しかしながら、エッジライト型のバックライトにおいて、導光板１内を伝播する光を液晶表示パネル３側に均一な面輝度で出射させる方法には、たとえば、図９（ａ）に示すように、導光板１の第１の主面１Ｃ側に反射パターン９を配置する方法も考えられる。この方法では、たとえば、導光板１の第２の主面１Ｄに微小な反射ドット（図示しない）を均一な密度で配置しておき、第２の主面１Ｄで反射する光の進路を前記微小な反射ドットで少しずつ変化させる。
【００８６】
このとき、たとえば、導光板１と光拡散フィルム５との界面に入射角θ３で入射した場合には屈折して液晶表示パネル３側に出射する光４を、反射パターン９で反射させると、当該光４を光入射位置から遠い位置まで伝播させ、所望の位置で屈折させて液晶表示パネル３側に出射させることができる。このような方法でも、導光板１内を伝播する光４を面状光線に変換して液晶表示パネル３に照射させることができる。
【００８７】
従来のこのような構成のバックライトの場合は、液晶表示パネル３に照射される光の面輝度を均一にするために、たとえば、図９（ｂ）および図９（ｃ）に示すように、導光板１の光入射位置から遠い反射パターン９ほど平面寸法ＲＳが小さくなるようにしている。このとき、ｙ方向に並んだ反射パターン９の平面寸法ＲＳの分布は、第１の側面１Ａと第２の側面１Ｂとの中点（ｙ＝０．５）の位置における反射パターン９の平面寸法が最も小さくなり、かつ、当該中点を対称軸とした上下対称の分布になっている。
【００８８】
このような構成のバックライトに本発明の考え方を適用する場合は、たとえば、図９（ｄ）に示すように、反射パターン９の平面寸法を最も小さくする位置を、第１の側面１Ａと第２の側面１Ｂとの中点（ｙ＝０．５）よりも第１の側面１Ａ側にずらす。このようにすると、第１の側面１Ａと中点との間（０＜ｙ＜０．５）における単位面積あたりの反射パターン９の占有率が、第２の側面１Ｂと中点との間（０．５＜ｙ＜１）における単位面積あたりの反射パターン９の占有率よりも小さくなる。反射パターン９は、導光板１から液晶表示パネル３側に出射する光の量を抑制する機能を有するので、たとえば、ある領域における単位面積あたりの反射パターン９の占有率が小さくなれば、その領域において導光板１から液晶表示パネル３側に出射する光の量を多くすることができる。そのため、各光源２Ａ，２Ｂの連続点灯時間が長くなり、第１の光源２Ａの輝度が第２の光源２Ｂの輝度よりも低くなっても、その分、液晶表示パネル３側に出射する光の量を多くできる。したがって、実施例４のバックライトは、点灯開始からＴｓ分が経過した後で液晶表示パネル３の表示領域に照射される光の面輝度のむらを低減できる。
【００８９】
図１０は、実施例４のバックライトの一変形例を示す模式平面図である。
【００９０】
実施例４のように、導光板１と光拡散フィルム５との界面に反射パターン９を配置する場合は、導光板１の光入射位置からの距離に応じて反射パターン９の平面寸法を変える代わりに、たとえば、図１０に示すように、各反射パターン９の平面寸法を等しくし、光入射位置から遠くなるほど反射パターン９の配置密度が小さくなるように配置してもよい。この場合、反射パターン９の配置密度は、たとえば、第１の側面１Ａと中点との間の領域における配置密度が、第２の側面１Ｂと中点との間の領域における配置密度よりも小さくなるようにすればよい。
【００９１】
以上、本発明を、前記実施例に基づき具体的に説明したが、本発明は、前記実施例に限定されるものではなく、その要旨を逸脱しない範囲において、種々変更可能であることはもちろんである。
【００９２】
実施例１乃至実施例４では、第１の光源２Ａおよび第２の光源２Ｂの一例として、たとえば、図１（ａ）に示したような複数のＬＥＤライト２０１を有する光源を例に挙げたが、本発明は、これに限らず、第１の光源２Ａおよび第２の光源２Ｂが、直管型の蛍光灯であってもよい。
【図面の簡単な説明】
【００９３】
【図１（ａ）】エッジライト型のバックライトの概略構成の一例を示す模式平面図である。
【図１（ｂ）】エッジライト型のバックライトを有する液晶表示装置の概略構成の一例を示す模式斜視図である。
【図１（ｃ）】エッジライト型のバックライトの動作原理を説明するための模式側面図である。
【図１（ｄ）】導光板の構成と光の取り出し方の一例を示す模式側面図である。
【図２（ａ）】図１（ａ）の領域ＰＡに設ける反射ドットの配置方法の一例を示す模式平面図である。
【図２（ｂ）】図２（ａ）に示した領域における導光板のｙ方向の位置と反射ドットの平面寸法との関係を示す模式グラフ図である。
【図３】図１（ａ）の領域ＰＡに設けられた反射ドットの配置方法の別の一例を示す模式平面図である。
【図４】従来のバックライトにおける光源の温度の時間変化および光源の輝度の時間変化の一例を示す模式グラフ図である。
【図５（ａ）】本発明による実施例１のバックライトの導光板における反射ドットの配置方法の一例を示す模式平面図である。
【図５（ｂ）】図５（ａ）に示した領域における導光板のｙ方向の位置と反射ドットの平面寸法との関係を示す模式グラフ図である。
【図６（ａ）】実施例１のバックライトの導光板における反射ドットの配置方法の一変形例を示す模式平面図である。
【図６（ｂ）】図６（ａ）に示した領域における導光板のｙ方向の位置と反射ドットの平面寸法との関係を示す模式グラフ図である。
【図７（ａ）】本発明による実施例２のバックライトの導光板における反射ドットの配置方法の一例を示す模式平面図である。
【図７（ｂ）】実施例２のバックライトの導光板における反射ドットの配置方法の別の一例を示す模式平面図である。
【図８】本発明による実施例３のバックライトの概略構成と光の取り出し方の一例を示す模式断面図である。
【図９（ａ）】本発明による実施例４のバックライトの導光板の主要部の構成と光の取り出し方の一例を示す模式断面図である。
【図９（ｂ）】従来のバックライトの導光板における反射パターンの配置方法の一例を示す模式平面図である。
【図９（ｃ）】図９（ｂ）に示した領域における導光板のｙ方向の位置と反射パターンの平面寸法との関係を示す模式グラフ図である。
【図９（ｄ）】実施例４のバックライトにおける導光板のｙ方向の位置と反射パターンの平面寸法との関係を示す模式グラフ図である。
【図１０】実施例４のバックライトの一変形例を示す模式平面図である。
【符号の説明】
【００９４】
１…導光板
１Ａ…第１の側面
１Ｂ…第２の側面
１Ｃ…第１の主面
１Ｄ…第２の主面
ＲＡ…光出射領域
２Ａ…第１の光源
２Ｂ…第２の光源
２０１…ＬＥＤライト
２０２…プリント回路板
３…液晶表示パネル
ＧＬ…走査信号線
ＤＬ…映像信号線
４…光
５…光拡散フィルム
５Ａ…開口部
６…反射フィルム
７…反射ドット
８…プリズムシート
９…反射パターン
【図１（ａ）】
0005339773.tif 000002
【図１（ｂ）】
0005339773.tif 000003
【図１（ｃ）】
0005339773.tif 000004
【図１（ｄ）】
0005339773.tif 000005
【図２（ａ）】
0005339773.tif 000006
【図２（ｂ）】
0005339773.tif 000007
【図３】
0005339773.tif 000008
【図４】
0005339773.tif 000009
【図５（ａ）】
0005339773.tif 000010
【図５（ｂ）】
0005339773.tif 000011
【図６（ａ）】
0005339773.tif 000012
【図６（ｂ）】
0005339773.tif 000013
【図７（ａ）】
0005339773.tif 000014
【図７（ｂ）】
0005339773.tif 000015
【図８】
0005339773.tif 000016
【図９（ａ）】
0005339773.tif 000017
【図９（ｂ）】
0005339773.tif 000018
【図９（ｃ）】
0005339773.tif 000019
【図９（ｄ）】
0005339773.tif 000020
【図１０】
0005339773.tif 000021